(57)【要約】      （修正有）【課題】釘部材を外壁骨組み部材等に向けて打ち込む際に防水シートに形成される貫通孔を介して、水が外壁骨組み部材側に侵入しようとするのを効果的に遮断できる外壁防水構造を提供する。【解決手段】外壁骨組み部材１１の外側を覆って防風シート１２を取り付け、さらに通気層形成部材１３を配置して防水シート１４を取り付けた後に、ラスモルタル１６による外壁材１９を施工してなる外壁において、ラス１５ａ、１５ｂを固定するための釘部材１８を防水シート１４を貫通して通気層形成部材１３に向けて打ち込んだ際の貫通孔から、水が通気層形成部材１３側に漏水するのを遮断するための防水構造であって、釘部材１８の打ち込み位置における防水シート１４の外側に密着させてパッキン部材１０を配置し、このパッキン部材１０と共に防水シート１４を貫通させて通気層形成部材１３に向けて釘部材を打ち込む。【選択図】図１
2006348660.tif 000002
【特許請求の範囲】
【請求項１】
ラスモルタル又はサイディングによる外壁材を施工してなる外壁において、外壁骨組み部材の外側を覆って取り付けられる防水シートを貫通して、ラス又はサイディング固定金具を固定するための釘部材を前記外壁骨組み部材に向けて打ち込んだ際の貫通孔から、水が前記外壁骨組み部材側に漏水するのを遮断するための防水構造であって、
前記釘部材の打ち込み位置における前記防水シートの外側に密着させてパッキン部材を配置し、該パッキン部材と共に前記防水シートを貫通させて前記通気層形成部材に向けて前記釘部材を打ち込む外壁防水構造。
【請求項２】
外壁骨組み部材の外側に防風シートを取り付け、さらに通気層形成部材を配置して防水シートで覆った後に、ラスモルタル又はサイディングによる外壁材を施工してなる外壁において、前記防水シートを貫通してラス又はサイディング固定金具を固定するための釘部材を前記通気層形成部材に向けて打ち込んだ際の貫通孔から、水が前記通気層形成部材側に漏水するのを遮断するための防水構造であって、
前記釘部材の打ち込み位置における前記防水シートの外側に密着させてパッキン部材を配置し、該パッキン部材と共に前記防水シートを貫通させて前記通気層形成部材に向けて前記釘部材を打ち込む外壁防水構造。
【請求項３】
前記パッキン部材が０．３〜１５ｍｍの厚さを有する縦長帯状のテープ状パッキン部材である請求項１又は２に記載の外壁防水構造。
【請求項４】
前記パッキン部材の外側に前記防水シートと重ねるように配設して補助防水シートを取り付け、該補助防水シート及び前記パッキン部材と共に前記防水シートを貫通させて前記外壁骨組み部材又は前記通気層形成部材に向けて前記釘部材を打ち込む請求項１〜３のいずれかに記載の外壁防水構造。
【請求項５】
前記パッキン部材は、弾性又は粘着性を有する材料からなる請求項１〜４のいずれかに記載の外壁防水構造。
【請求項６】
前記パッキン部材の前記防水シートとの密着面に、縦方向に延設する排水溝が形成されている請求項１〜５のいずれかに記載の外壁防水構造。
【発明の詳細な説明】
【技術分野】
【０００１】
本発明は、外壁防水構造に関し、特に、ラスモルタル又はサイディングによる外壁材を設置して形成される外壁の防水構造に関する。
【背景技術】
【０００２】
建物の外壁は、一般に、例えば柱や間柱等の外壁骨組み部材に支持させて、これらの外側を覆って防風シート（防水シート）を取り付け、必要に応じて壁仕上用下地パネル、縦胴縁等を取り付けると共にこれらの外側を覆ってさらに防水シートを取り付けてから、例えばラスやラスモルタルが施工されたり、サイディング取付金具を介してサイディングが施工されることになる。また、外壁骨組み部材に耐力面材や木ずりを取り付け、これらの外側を防水シートで覆ってラスモルタルやサイディングが施工されることもある。
【０００３】
また、柱や間柱等の外壁骨組み部材の屋内側には、内装仕上げ材等が取り付けられると共に、建物の内部を外部から熱的に遮断して屋内の空調条件を適切に保つことができるように、例えば防風シート（防水シート）と内装仕上げ材とによって挟まれる壁の内部における骨組み部材の間隔部分には、断熱材が充填配置される。さらに、近年、例えば断熱材の外側における通気を良好にして断熱材の内部に結露が発生しないようにすること等を目的として、ラスモルタルやサイディング等による外壁材と防風シート（防水シート）によって覆われた断熱材との間に通気層形成部材を設けて、通気層を形成するようにした外壁構造が採用される場合がある。これらの通気層は、例えば間隔をおいて平行に配置された複数の表側帯状小幅板と、間隔をおいて平行に配置された複数の裏側帯状小幅板とを互いに交差させた状態で接合一体化してなる壁仕上用下地パネルや、間隔をおいて平行に配置された複数の縦胴縁等を通気層形成部材として、例えば建物の土台部分から天井裏部分に至る通気空間として設けられる（例えば、特許文献１参照）。
【特許文献１】特開２０００−１６０７３２号公報
【発明の開示】
【発明が解決しようとする課題】
【０００４】
例えば防水シートによって覆われた壁仕上用下地パネルの外側にラスモルタルを施工する場合、金網部材であるラスの力骨を、例えばステープル釘を壁仕上用下地パネル及びこれの後方の柱や間柱等まで打ち込んで固定することにより、ラスを壁仕上用下地パネルの外側に取り付け、しかる後に壁仕上用下地パネルの外側にラスモルタルを塗着させる方法が採用される。また例えば防水シートによって覆われた縦胴縁の外側にサイディングを施工する場合、サイディング取付金具を、例えばステープル釘を縦胴縁及びこれの後方の柱や間柱等まで打ち込んで固定することにより縦胴縁の外側に取り付け、しかる後にサイディング取付金具を介して縦胴縁の外側にサイディングを設置する。
【０００５】
ラスやサイディング取付金具を外壁骨組み部材や耐力面材、木ずり下地、壁仕上用下地パネル、縦胴縁等に取り付けるために、これらに向けてステープル釘等の釘部材を打ち込むには、防水シートを貫通させて打ち込む必要があることから、硬化前のラスモルタル中の水や外部から侵入した水が、防水シートに形成された釘部材による貫通孔の周縁の隙間を伝って万が一外壁骨組み部材側や通気層形成部材側に漏水する可能性に備えて、このような貫通孔を介して水が通過しないような構造としておくことにより、建物の信頼性をさらに向上させることが可能になる。
【０００６】
本発明は、ステープル釘等の釘部材を外壁骨組み部材等に向けて打ち込む際に防水シートに形成される貫通孔を介して、水が外壁骨組み部材側や通気層形成部材側に侵入しようとするのを効果的に遮断することのできる外壁防水構造を提供することを目的とする。
【課題を解決するための手段】
【０００７】
本発明は、ラスモルタル又はサイディングによる外壁材を施工してなる外壁において、外壁骨組み部材の外側を覆って取り付けられる防水シートを貫通して、ラス又はサイディング固定金具を固定するための釘部材を前記外壁骨組み部材に向けて打ち込んだ際の貫通孔から、水が前記外壁骨組み部材側に漏水するのを遮断するための防水構造であって、前記釘部材の打ち込み位置における前記防水シートの外側に密着させてパッキン部材を配置し、該パッキン部材と共に前記防水シートを貫通させて前記通気層形成部材に向けて前記釘部材を打ち込む外壁防水構造を提供することにより、上記目的を達成したものである。
【０００８】
また、本発明は、外壁骨組み部材の外側に防風シートを取り付け、さらに通気層形成部材を配置して防水シートで覆った後に、ラスモルタル又はサイディングによる外壁材を施工してなる外壁において、前記防水シートを貫通してラス又はサイディング固定金具を固定するための釘部材を前記通気層形成部材に向けて打ち込んだ際の貫通孔から、水が前記通気層形成部材側に漏水するのを遮断するための防水構造であって、前記釘部材の打ち込み位置における前記防水シートの外側に密着させてパッキン部材を配置し、該パッキン部材と共に前記防水シートを貫通させて前記通気層形成部材に向けて前記釘部材を打ち込む外壁防水構造を提供することにより、上記目的を達成したものである。
【０００９】
本発明の外壁防水構造は、前記パッキン部材が０．３〜１５ｍｍの厚さを有する縦長帯状のテープ状パッキン部材であることが好ましい。
【００１０】
また、本発明の外壁防水構造は、前記パッキン部材の外側に前記防水シートと重ねるように配設して補助防水シートを取り付け、該補助防水シート及び前記パッキン部材と共に前記防水シートを貫通させて前記外壁骨組み部材又は前記通気層形成部材に向けて前記釘部材を打ち込むようにすることが好ましい。
【００１１】
さらに、本発明の外壁防水構造は、前記パッキン部材が、弾性又は粘着性を有する材料からなるものであることが好ましい。
【００１２】
さらにまた、本発明の外壁防水構造は、前記パッキン部材の前記防水シートとの密着面に、縦方向に延設する排水溝が形成されていることが好ましい。
【発明の効果】
【００１３】
本発明の外壁防水構造によれば、ステープル釘等の釘部材を外壁骨組み部材等に向けて打ち込む際に防水シートに形成される貫通孔を介して、水が外壁骨組み部材側や通気層形成部材側に侵入しようとするのを効果的に遮断することができる。
【発明を実施するための最良の形態】
【００１４】
本発明の好ましい一実施形態に係る外壁防水構造は、例えば図１及び図２に示すように、柱１１ａ、間柱１１ｂ（図２参照）、土台１１ｃ、梁１１ｄ等による外壁骨組み部材１１に支持させて、これらの外表面に例えば公知の半透明透湿防水シートからなる防風シート１２を敷設した後に、壁仕上用下地パネル１３が取り付けられ、さらにこれらの外側面を覆って防水シート１４を取り付けてから、ラス１５やラスモルタル１６が施工されて形成される建物の外壁１７において、ラス１５を釘部材として例えばステープル釘１８（図３，図４参照）を用いて壁仕上用下地パネル１３に固定した際に、ステープル釘１８が防水シート１４を貫通する貫通孔を介して水が壁仕上用下地パネル１３側に侵入するのを回避できるようにするために採用されたものである。
【００１５】
すなわち、本実施形態の外壁防水構造は、図３及び図４にも示すように、外壁骨組み部材１１の外側に防風シート１２を取り付け、さらに通気層形成部材としての壁仕上用下地パネル１３を配置して防水シート１４で覆った後に、例えばラスモルタル１６による外壁材１９を施工してなる外壁１７において、防水シート１４を貫通してラス１５を固定するためのステープル釘１８を壁仕上用下地パネル１３に向けて打ち込んだ際の貫通孔から、水が壁仕上用下地パネル１３側に漏水するのを遮断するための防水構造であって、ステープル釘１８の打ち込み位置における防水シート１４の外側に密着させてパッキン部材１０を配置し、このパッキン部材１０と共に防水シート１４を貫通させて壁仕上用下地パネル１３に向けてステープル釘１８を打ち込むことによって構成される。
【００１６】
また、本実施形態の外壁防水構造によれば、好ましくは、パッキン部材１０の外側に防水シート１４と重ねるように配設して補助防水シート２０を取り付け、この補助防水シート２０及びパッキン部材１０と共に防水シート１４を貫通させて、壁仕上用下地パネル１３に向けてステープル釘１８を打ち込むようになっている。
【００１７】
ここで、本実施形態に用いる通気層形成部材としての壁仕上用下地パネル１３は、図５に示すように、例えば特開２０００−１６０７３２号公報に記載のパネル部材と同様の構成を備える、間隔をおいて平行に配置された複数の表側帯状小幅板１３ａと、間隔をおいて平行に配置された複数の裏側帯状小幅板１３ｂとを互いに交差させた状態で接合一体化してなるものである。このような壁仕上用下地パネル１３は、各帯状小幅板１３ａ，１３ｂ間の間隔部分を経て空気を上昇させることにより、十分な通気を確保することが可能な通気層を形成することができ、また相反する方向に傾斜させた各帯状小幅板１３ａ，１３ｂを筋交いのように機能させて、構造用耐力部材としての所望の強度が得られるようにしたものである。
【００１８】
また、本実施形態によれば、防水シート１４及び補助防水シート２０は、建物の外壁用の防水シートとして公知の各種のシート材料を用いることができ、ラス１５は、ラス網に縦力骨１５ａや横力骨１５ｂ（図４参照）が所定の間隔をおいて縦横に配置された公知の種々のラス網部材を用いることができる。
【００１９】
そして、本実施形態の外壁防水構造を構成するパッキン部材１０は、釘部材として例えばステープル釘１８を打ち込んだ際の貫通孔の内周面に、ステープル釘１８との間の止水性に有効な界面長さを当該パッキン部材１０の厚さ方向に相当の長さで確保することが可能な部材であって、図３及び図４に示すように、防水シート１４の外側に密着配置されて用いられる。パッキン部材１０は、ステープル釘１８との間の相当の界面長さを確保し、且つ当該パッキン部材１０を含む止水層が全体として過度に厚くならないように、０．３〜１５ｍｍの厚さを有していることが好ましい。またパッキン部材１０は、縦長帯状のテープ状パッキン部材であることが、施工のし易さの点で好ましい。さらに、パッキン部材１０は、ステープル釘１８との間の界面長さを効率良く確保できるように、適度の固さとクッション性とを兼ね備える各種の材質のものを用いることができるが、好ましくは、例えばブチルゴム、ポリエチレン等の柔らかいプラスチック、木製材料等からなるものを用いることができる。さらにまた、パッキン部材１０として弾性や粘着性を有する材料からなるものを用いることにより、ステープル釘１８による貫通孔をより効果的に塞ぐことが可能になる。
【００２０】
本実施形態によれば、より具体的には、パッキン部材１０として、好ましくは主にポリエチレンからなる、例えば幅４５ｍｍ、厚さ２ｍｍの断面形状を有する縦長帯板状のテープ部材が用いられる。またパッキン部材１０の防水シート１４との密着面には、ステープル釘１８の打ち込み予定位置となる中央部分を挟んだ両側に、縦方向（帯板の長手方向）に延設して一対の排水溝２１が円弧断面形状に切り欠かれて形成されている。
【００２１】
本実施形態によれば、ラスモルタル１６による外壁材１９のラス１５を外壁１７に取り付けるのに先立って、外壁骨組み部材１１に支持させて壁仕上用下地パネル１３を設置し、これらの外側面を覆って防水シート１４を取り付けてから、例えば外壁骨組み部材１１の柱１１ａや間柱１１ｂが設けられた位置と対応させて、図６に示すように、縦長帯板状のパッキン部材１０を、例えば４５５ｍｍの配設ピッチで接着剤等を介して仮止め設置しておく。しかる後に、図４に示すように、パッキン部材１０の外側に防水シート１４と重ねるように配設して補助防水シート２０を取り付け、各縦力骨１５ａがパッキン部材１０の中央部分に各々配置されるようにラス１５を位置決めする。さらに、縦力骨１５ａをパッキン部材１０との間に挟み込むようにしながら、壁仕上用下地パネル１３及びこれの裏側の柱１１ａや間柱１１ｂに向けて、補助防水シート２０及びパッキン部材１０と共に防水シート１４を貫通させつつ、ステープル釘１８を縦長帯板状のパッキン部材１０に沿った上下方向に所定のピッチで打ち込んで行く。これによって、ラス１５が、防水シート１４や補助防水シート２０によって覆われた壁仕上用下地パネル１３の外側に強固且つ安定した状態で取り付けられることになる。また、取り付けられたラス１５を巻き込むようにしてラスモルタル１６を塗着施工することにより、外壁１７の外壁材１９が形成されることになる。
【００２２】
そして、本実施形態によれば、ステープル釘１８を壁仕上用下地パネル１３に向けて打ち込む際に防水シート１４に形成される貫通孔を介して、水が壁仕上用下地パネル１３側（外壁骨組み部材１１側）に侵入しようとするのを効果的に遮断することができる。すなわち、本実施形態によれば、外壁１７は、ステープル釘１８の打ち込み位置における防水シート１４の外側に密着させてパッキン部材１０を配置し、このパッキン部材１０と共に防水シート１４を貫通させて壁仕上用下地パネル１３に向けてステープル釘１８を打ち込むことによる外壁防水構造を備えているので、ステープル釘１８を打ち込んで壁仕上用下地パネル１３にラス１５を固定した際に、パッキン部材１０と防水シート１４とが密着すると共に、パッキン部材１０によって防水シート１４に形成された貫通孔が強固に塞がれることになり、これによって水が壁仕上用下地パネル１３側に侵入しようとするのを効果的に遮断することが可能になる。
【００２３】
また、本実施形態によれば、パッキン部材１０の外側に補助防水シート２０を配設して、補助防水シート２０及びパッキン部材１０と共に防水シート１４を貫通させてステープル釘１８を打ち込むようになっているので、補助防水シート２０の存在によって、外壁材１９の内側により強固な防水層を形成することが可能になる。
【００２４】
さらに、本実施形態によれば、パッキン部材１０の防水シート１４との密着面に、縦方向に延設する排水溝２１が形成されているので、外部の水がパッキン部材１０と防水シート１４との密着面に沿って横走りしようとしても、このような水が貫通孔に達する前に下方に排除することが可能になる。
【００２５】
なお、本発明は上記実施形態に限定されることなく種々の変更が可能である。例えば、パッキン部材の外側に補助防水シートを取り付ける必要は必ずしもなく、パッキン部材の防水シートとの密着面に、縦方向に延設する排水溝を形成する必要は必ずしもない。また、ラス及び補助防水シートに代えて、例えば防水紙がラスに予め取り付けられた防水紙複合ラスを用いることもできる。防水紙複合ラスを用いる場合には、パッキン部材の両側にこれの側端面に沿った排水空間が形成されることになって、排水性能に優れた防水構造を得ることが可能になる。
【００２６】
さらに、外壁材は、ラスやラスモルタルによるものの他、例えばサイディングによるものであっても良く、この場合には、釘部材の打ち込み位置における防水シートの外側に密着させてパッキン部材を配置することにより、サイディング固定金具を固定するための釘部材を防水シートを貫通して通気層形成部材に向けて打ち込んだ際の貫通孔から、水が通気層形成部材側に漏水するのを効果的に遮断することが可能になる。さらにまた、通気層形成部材は、外壁材として例えばサイディングを設置する際に取り付けられる縦胴縁を、複数間隔をおいて平行に配置したものであっても良い。また、通気層形成部材に向けて打ち込まれる釘部材は、ステープル釘以外の、その他の種々の固定釘であっても良い。
【００２７】
そして、本発明の外壁防水構造は、外壁骨組み部材の外側に防風シートを取り付け、さらに通気層形成部材を配置して防水シートで覆った後に、ラスモルタル又はサイディングによる外壁材を施工してなる外壁以外にも、例えば図７（ａ），（ｂ）に示すように、通気層形成部材を設けることなくラスモルタル又はサイディングによる外壁材を施工してなる外壁において採用することもできる。すなわち、外壁骨組み部材１１の外側を覆って耐力面材２２や木ずり下地を取り付けると共に、防水シート２３を取り付け、釘部材の打ち込み位置における防水シート２３の外側に密着させてパッキン部材１０を配置し、パッキン部材１０と共に防水シート２３を貫通させて外壁骨組み部材１１に向けて釘部材を打ち込んだり（図７（ａ）参照）、外壁骨組み部材の外側を覆って防水シート２３のみを取り付け、釘部材の打ち込み位置における防水シート２３の外側に密着させてパッキン部材１０を配置し、パッキン部材１０と共に防水シート２３を貫通させて外壁骨組み部材１１に向けて釘部材を打ち込んで（図７（ｂ）参照）、外壁防水構造を形成することもできる。これらによっても、ラス又はサイディング固定金具を固定するための釘部材を外壁骨組み部材１１に向けて打ち込んだ際の貫通孔から、水が外壁骨組み部材１１側に漏水するのを効果的に遮断することが可能になる。
【００２８】
また、必要に応じて適宜耐力面材等を介在させて外側に防水シートが取り付けられる本発明の外壁骨組み部材には、木造軸組工法、２×４工法、パネル工法、鉄骨造工法等において木質壁パネル等が取り付けられる各種の構造躯体が含まれる。
【図面の簡単な説明】
【００２９】
【図１】本発明の好ましい一実施形態に係る外壁防水構造が設けられる外壁の構成を説明する略示斜視図である。
【図２】本発明の好ましい一実施形態に係る外壁防水構造が設けられる外壁の横断面図である。
【図３】図２のＡ部拡大断面図である。
【図４】本発明の好ましい一実施形態に係る外壁防水構造の拡大断面図である。
【図５】本発明の好ましい一実施形態に用いられる通気層形成部材としての壁仕上用下地パネルの正面図である。
【図６】パッキン部材の取り付け状況を説明する略示正面図である。
【図７】（ａ），（ｂ）は、本発明の他の実施形態に係る外壁防水構造を例示する略示横断面図である。
【符号の説明】
【００３０】
１０  パッキン部材
１１  外壁骨組み部材
１１ａ  柱
１１ｂ  間柱
１２  防風シート
１３  壁仕上用下地パネル（通気層形成部材）
１４，２３  防水シート
１５  ラス
１５ａ  縦力骨
１５ｂ  横力骨
１６  ラスモルタル
１７  外壁
１８  ステープル釘（釘部材）
１９  外壁材
２０  補助防水シート
２１  排水溝
２２  耐力面材
【図１】
2006348660.tif 000003
【図２】
2006348660.tif 000004
【図３】
2006348660.tif 000005
【図４】
2006348660.tif 000006
【図５】
2006348660.tif 000007
【図６】
2006348660.tif 000008
【図７】
2006348660.tif 000009